(57)【要約】  異なる規格の容器首に結合する用途で使用される受容装置は、本体の内部に貯蔵空間付の受容部が設けられ、下側にネジ山部が形成されており、前記受容装置のネジ山部の内部には容器首の規格に合うネジ山が形成されたものであって、前記ネジ山は複数の容器首に結合可能であるようネジ山を形成するかまたは弾性よくネジ山部を一体または別に設けて製作したことを特徴とする、容器首に結合して使用する受容装置に関する。【選択図】図１
2014500202.tif 000002
【特許請求の範囲】
【請求項１】
異なる規格の容器首に結合する用途で使用される受容装置であって、受容装置の内部に液体や粉などの多様な異種物質が内部に入れられており、前記受容装置を容器首に結合するか、または前記異種物質受容装置を容器首に結合した後に受容装置の本体やその他の上方に設けられた上キャップなどのその他の部位をタッチするか開放する過程において受容装置の内部に入った異種物質が容器内部に落下混合されるか、または受容装置の上方開放部を通じて、受容装置の内部の受容部に入った香りや味がついた固体状の内容物が、容器内部に入った液体が前記受容装置により、放出されるステップで受容部に入った内容物が溶けて放出されるなどの、多様な種類の異種物質が入った装置において、
前記受容装置の下側には、異なる規格の複数以上の容器首のネジ山に結合可能なネジ山部が形成され、
前記ネジ山部は、容器首のネジ山に適用される場合に容器首のネジ山が前記ネジ山部を外側へ押しながら組み立てることが可能になるように、伸縮性のある材料で構成したことを特徴とする容器首に結合して使用する受容装置。
【請求項２】
前記ネジ山部には、内側向きに、第１ネジ山と第２ネジ山とを形成したことを特徴とする請求項１に記載の容器首に結合して使用する受容装置。
【請求項３】
前記第２ネジ山の内径が第１ネジ山の内径より大きいことを特徴とする請求項２に記載の容器首に結合して使用する受容装置。
【請求項４】
前記第１ネジ山または第２ネジ山を有するネジ山部の厚さを薄くしたことを特徴とする請求項１に記載の容器首に結合して使用する受容装置。
【請求項５】
前記受容装置の第１ネジ山のあるネジ山部は、シリコーンなどの軟質樹脂で射出成形されていることを特徴とする請求項１に記載の容器首に結合して使用する受容装置。
【請求項６】
異なる規格の容器首に結合する用途に使用される受容装置であって、前記受容装置を容器首に結合するために下側に結合部であるネジ山部が形成された、複数の容器首に結合する受容装置において、
前記下側に形成されたネジ山部は、容器首のサイズに対応して組み立てられ、結合部であるネジ山部が異なる規格の容器首に組み立てられる場合、ネジ山部が容器首の規格またはネジ山のサイズに応じて拡張される程度が調節されながら前記受容装置が容器首に結合されることを特徴とする容器首に結合して使用する受容装置。
【請求項７】
前記ネジ山部は、弾性よく薄くされていることを特徴とする請求項６に記載の容器首に結合して使用する受容装置。
【請求項８】
前記ネジ山部のいずれかの部位が広がるようにして、広がる部位には、軟質樹脂で弾性部が形成されていることを特徴とする請求項６に記載の容器首に結合して使用する受容装置。
【請求項９】
前記弾性部は多色射出成形されることを特徴とする請求項８に記載の容器首に結合して使用する受容装置。
【請求項１０】
前記ネジ山部は、容器首のネジ山に抵抗を受けると外側へ広がることが可能であるように、一定サイズの空間で弾性的なネジ山部が形成されていることを特徴とする請求項６に記載の容器首に結合して使用する受容装置。
【請求項１１】
前記ネジ山部は、容器首のネジ山に対応する位置の受容装置の内部に組み立て式に形成されていることを特徴とする請求項６に記載の容器首に結合して使用する受容装置。
【請求項１２】
前記組み立て式ネジ山部は、容器首のネジ山に接触されると容器首のサイズに応じてネジ山部が外側に広がる程度が異なって対応するように構成されていることを特徴とする請求項１１に記載の容器首に結合して使用する受容装置。
【請求項１３】
前記ネジ山部は、容器首のネジ山部に対応する位置に組み立て式に形成され、前記ネジ山部は、上方に畳まれた形のものが、受容装置の下端を中心に結合されたことを特徴とする請求項６に記載の容器首に結合して使用する受容装置。
【請求項１４】
前記ネジ山部は、容器首のネジ山のサイズによって外側に広がる程度に差を有し、前記ネジ山部の端部は外側から内側上端方向に吊り上げられた状態であることを特徴とする請求項６に記載の容器首に結合して使用する受容装置。
【請求項１５】
前記ネジ山部の上端方向に空間を形成したことを特徴とする請求項１４に記載の容器首に結合して使用する受容装置。
【請求項１６】
前記ネジ山部がある受容装置の外側に補助台を備え、前記補助台が受容装置とともに作動するとその過程で補助台によりネジ山部が容器首方向に絞られて結合されることを特徴とする請求項６に記載の容器首に結合して使用する受容装置。
【請求項１７】
前記ネジ山部の内側上端に、厚さを薄くして第１ネジ山が形成され、下端に容器首のネジ山サイズに応じて折り畳まれる程度が異なって対応する第２ネジ山が形成されていることを特徴とする請求項６に記載の容器首に結合して使用する受容装置。
【請求項１８】
前記受容装置の内部に、異種物質を入れる貯蔵空間が形成されていることを特徴とする請求項１に記載の容器首に結合して使用する受容装置。
【請求項１９】
前記受容装置の内部に、異種物質を入れる貯蔵空間が形成されていることを特徴とする請求項６に記載の容器首に結合して使用する受容装置。
【請求項２０】
本体のいずれかの一部位に排出される手段が形成されるか、または本体の内部に異種物質が入った受容装置を金属缶などの容器に結合する結合手段が形成された受容装置において、
前記受容装置の下端結合手段は、金属缶のエンド形状がそれぞれ異なるエンドに結合可能であるように構成された容器首に結合して使用される受容装置。
【請求項２１】
前記結合手段は、第１結合部と第２結合部などの異なる規格の複数の結合部を有して金属缶などの異なる規格のエンドに組み立て得るように構成されていることを特徴とする請求項２０に記載の容器首に結合して使用する受容装置。
【請求項２２】
前記結合手段は、シリコーンなどの軟質樹脂で形成されていることを特徴とする請求項２０に記載の容器首に結合して使用する受容装置。
【請求項２３】
異なる規格の容器首に結合する用途で使用される受容装置であって、前記受容装置を容器首に結合するために下側に結合部が形成されている、複数の容器首に結合する受容装置において、
前記受容装置の下側に形成された結合部は、軟質の樹脂で形成されたことを特徴とする容器首に結合して使用する受容装置。
【請求項２４】
前記結合部は受容装置に一体に成形されることを特徴とする請求項２３に記載の容器首に結合して使用する受容装置。
【請求項２５】
前記結合部が受容装置に組み付けられることを特徴とする請求項２３に記載の容器首に結合して使用する受容装置。
【請求項２６】
前記結合部は、シリコーン樹脂であることを特徴とする請求項２３に記載の容器首に結合して使用する受容装置。
【請求項２７】
異なる規格の容器首に結合する用途で使用される受容装置であって、受容装置の内部に液体や粉などの多様な異種物質が内部に入れられており、前記受容装置を容器首に結合するか、または前記異種物質受容装置を容器首に結合した後に受容装置の本体やその他の上方に設けられた上キャップなどのその他の部位をタッチするか開放する過程において受容装置の内部に入った異種物質が容器内部に落下混合されるか、または受容装置の上方開放部により、受容装置の内部の受容部に入った香りや味のついた固体状の内容物が、容器内部に入った液体が前記受容装置から放出される過程で、受容部に入った内容物が溶けて放出されるなどの、多様な種類の異種物質が入った装置において、
前記異種物質が内部に入れられた受容装置は、本体が容器首のネジ山に結合されるように構成され、前記本体の内側面部は、容器首のネジ山に結合されるように形成され、外側面部は、別の結合台が組みつけられ、
前記結合台を中心にして蓋を容器首に押すか回転する方式で結合すると、１次的に内側面部を有する本体が容器首に配置され、前記の状態から結合台を回転させると、結合台が本体の外側面部を内側に押しながら本体の外側面部の内面である内側面部に形成された第１ネジ山または第２ネジ山が、容器首のネジ山にさらに密着されて結合されることを特徴とする容器首に結合して使用する受容装置。
【請求項２８】
前記受容装置の本体外側面部は、結合台が結合され、結合された結合台は、分離されないように構成されていることを特徴とする請求項２７に記載の容器首に結合して使用する受容装置。
【請求項２９】
前記本体の外側面部は、結合溝を有し、それに対応する結合台には、結合台固定部が形成されていることを特徴とする請求項２８に記載の容器首に結合して使用する受容装置。
【請求項３０】
前記受容装置の本体の外側面部には、本体用ストッパーを中心にして前後方に突出部とリターン防止部が形成され、前記本体の外側面部に対応する前記結合台の内側面部に、突出部作動用突起と結合台用移動空間ストッパーが形成されていることを特徴とする請求項２７に記載の容器首に結合して使用する受容装置。
【請求項３１】
前記本体の外側面部を中心に結合された結合台を作動させると、結合台の内部に形成された突出部作動用突起が外側面部に形成された突出部を内側に押し、前記課程で、内側面部に形成された第１ネジ山または第２ネジ山が、容器首のネジ山にさらに密着して固定されることを特徴とする請求項３０に記載の容器首に結合して使用する受容装置。
【請求項３２】
前記突出部作動用突起が突出部を押し、その過程で結合台が前記外側面部上で一定以上回転しないように、外側面部とそれに対応する結合台には、本体用ストッパーおよび結合台用移動空間ストッパーが形成されていることを特徴とする請求項３１に記載の容器首に結合して使用する受容装置。
【請求項３３】
前記結合台を結合して逆方向に回転させると、前記結合台が外側面部上で回転して、同過程で、結合台の結合台用移動空間ストッパーが外側面部のいずれかの部位に引っ掛かって、結合台が、外側面部を有する本体とともに容器首から抜き出されるように構成されていることを特徴とする請求項３１に記載の容器首に結合して使用する受容装置。
【請求項３４】
前記結合台は、外側面部を有する本体から逆回転で回転すると、突出部作動用突起が突出部をはずすように構成されていることを特徴とする請求項３３に記載の容器首に結合して使用する受容装置。
【請求項３５】
前記内側面部を有する本体の外側面部には、結合台を回転方向に回転させる過程で外側面部が内側に追い出されることが可能であるように、一定サイズの空間が形成されていることを特徴とする請求項２７に記載の容器首に結合して使用する受容装置。
【請求項３６】
前記内側面部に形成された第１ネジ山と第２ネジ山は、第１内側面部と第２内側面部にそれぞれ形成され、前記の第２内側面部は第１内側面部の内径よりさらに大きく構成されていることを特徴とする請求項２７に記載の容器首に結合して使用する受容装置。
【請求項３７】
前記第１ネジ山および第２ネジ山は、断続的に設けられた突起片であることを特徴とする請求項２７に記載の容器首に結合して使用する受容装置。
【請求項３８】
前記第２ネジ山を有する第２内側面部の高さは、２〜３ｍｍであることを特徴とする請求項２７に記載の容器首に結合して使用する受容装置。
【請求項３９】
前記第２ネジ山を有する第２内側面部の高さは、２〜４ｍｍであることを特徴とする請求項２７に記載の容器首に結合して使用する受容装置。
【請求項４０】
前記第２ネジ山を有する第２内側面部の高さは、２〜６ｍｍであることを特徴とする請求項１に記載の容器首に結合して使用する受容装置。
【請求項４１】
異なる規格の容器首に結合する用途で使用される受容装置であって、受容装置の内部に液体や粉など多様な異種物質が内部に入れられており、前記受容装置を容器首に結合するかまたは前記の異種物質受容装置を容器首に結合した後に受容装置の本体やその他の上方に形成された上キャップなどのその他の部位をタッチするか開放する過程において、受容装置の内部に入った異種物質が容器内部に落下混合されるか、または受容装置の上方開放部により、受容装置の内部の受容部に入った香りや味のついた固体状の内容物が、容器内部に入った液体が前記受容装置から放出される過程で受容部に入った内容物が溶けて放出されるなどの、多様な種類の異種物質が入った装置において、
前記異種物質が内部に入れられた受容装置は、本体の外側面部の内側に結合台外側空間を形成し、前記の結合台外側空間には、はめ合う方式で内側結合用結合台が組み立てられ、前記内側結合用結合台にネジ山部が形成され、前記の内側結合用結合台には、外側向きに結合台突出部とリターン防止部が形成され、前記本体の外側面部の内側には、内側結合用結合台の外側部に形成された結合台用ストッパーの前後部に位置する本体作動用突起と結合台用ストッパー移動空間が形成されていることを特徴とする容器首に結合して使用する受容装置。
【請求項４２】
前記ネジ山部は、第１ネジ山と第２ネジ山で構成されていることを特徴とする請求項４１に記載の容器首に結合して使用する受容装置。
【請求項４３】
前記ネジ山部は、断続的な突起や細密なネジ山で構成されていることを特徴とする請求項４１に記載の容器首に結合して使用する受容装置。
【発明の詳細な説明】
【技術分野】
【０００１】
本発明は、一つの受容装置を異なる規格の容器首に適用できるようにした、容器首に結合して使用する受容装置に関する。
【背景技術】
【０００２】
従来の技術としては、本発明者の特許文献１の技術がある。
【先行技術文献】
【特許文献】
【０００３】
【特許文献１】国際公開第２００９／０１４３５１号
【発明の概要】
【発明が解決しようとする課題】
【０００４】
前記従来の技術である特許文献１の場合は、一例として、１つのボトル蓋を有し、ボトル蓋の内部に２６．７８ｍｍと２８ｍｍのネジ山を形成して、２６．７８ｍｍと２８ｍｍの容器首にそれぞれ組み立てて使用できるように構成した技術である。
【０００５】
本発明は、前記技術に記載された構成を更に実用的にした使用例を明示しようとしてなされたものであり、好ましくは受容装置の規格が既に定められ、前記受容装置を異なる規格の容器首（一例として、２６．２ｍｍおよび２６．７８ｍｍおよび２８．０ｍｍ）に結合するために前記受容装置の下側結合部に弾性的なネジ山部を形成してその目的を達成しようとすることにある。
【課題を解決するための手段】
【０００６】
本発明の受容装置は、異なる規格の容器首に結合できるように、前記受容装置のネジ山部の内側ネジ山は、容器首の溝部ネジ山に結合されるように、第１ネジ山と第２ネジ山が形成されており、特に、前記第１ネジ山が位置するネジ山部は、その厚さを薄くすることでそれに対応する容器首のネジ山に対して弾性的に適用するようにしたことである。
【０００７】
上述した先行発明の一例では、ボトル蓋の内側ネジ山が２８ｍｍに合う形であって、容器首が２６．７８ｍｍである場合、別の接続装置を備えていなければ、容器首にボトル蓋を結合することは不可能であったが、本発明では、弾性があり伸縮性のあるネジ山部の内側に一つ以上のそれぞれ違った寸法のネジ山を形成するため、近似値内の容器首に一つ以上の受容装置を適用することができるという特徴がある。
【発明の効果】
【０００８】
容器首の規格が一致しなくても、それぞれ異なる規格を調節する弾性的なネジ山部を構成したところ、別に多様な規格のボトル蓋や容器首を製作しなくてもよい長所がある。
【図面の簡単な説明】
【０００９】
【図１】本発明の好ましい一実施形態を示す縦断面図である。
【図２】本発明の他の実施形態を示す縦断面図である。
【図３】容器首に組み立てられた状態を示す縦断面図である。
【図４】容器首に組み立てられた状態を示す部分縦断面図である。
【図５】要部を切開して示した一部斜視図であって、ボトル蓋が容器首に組み立てられた状態を示す図である。
【図６】本発明のまた他の実施形態を示す部分縦断面図である。
【図７】本発明の他の例を示す縦断面図である。
【図８】本発明のまた他の実施形態を示す要部断面図である。
【図９】本発明のまた他の実施形態を示す要部断面図である。
【図１０】本発明のまた他の実施形態を示す要部断面図である。
【図１１】本発明のまた他の実施形態を示す要部断面図である。
【図１２】本発明のまた他の実施形態を示す要部断面図である。
【図１３】本発明のまた他の実施形態を示す要部断面図である。
【図１４】本発明のまた他の実施形態を示す要部断面図である。
【図１５】本発明のまた他の実施形態を示す要部断面図である。
【図１６】本発明のまた他の実施形態を示す要部断面図である。
【図１７】本発明のまた他の実施形態を示す要部断面図である。
【図１８】本発明のまた他の実施形態を示す要部断面図である。
【図１９】本発明のまた他の例を示す部分縦断面図である。
【図２０】本発明のまた他の例を示す部分縦断面図である。
【図２１】本発明のまた他の例を示す要部断面図である。
【図２２】本発明のまた他の例を示す要部断面図である。
【図２３】本発明のまた他の実施形態を示す要部縦断面図である。
【図２４】本発明のまた他の実施形態を示す要部縦断面図である。
【図２５】本発明のまた他の実施形態を示す要部縦断面図である。
【図２６】本発明のまた他の実施形態を示す要部縦断面図である。
【図２７】本発明のまた他の実施形態を示す要部縦断面図である。
【図２８】本発明のまた他の実施形態を示す要部縦断面図である。
【発明を実施するための形態】
【００１０】
本発明の受容装置１は、本体の上側に、受容装置１の内部に入った受容部３の内容物を開放するための上キャップ２やその他の手段が適用され、前記受容装置１の下部には、ガイド７と、結合部であるネジ山部４が形成されており、前記ネジ山部４の内部には、第１ネジ山５や第２ネジ山６が形成されているものである。
【００１１】
そして前記下側の結合部であるネジ山部４の内部に形成されるネジ山は、第１ネジ山５と第２ネジ山６とを有するものの、それぞれが異なる複数の規格を有する容器首に結合可能なように構成されており、そのために、前記第１ネジ山５を有するネジ山部４は、厚さを薄くして、容器首２００のネジ山２０１が大きい場合に、前記ネジ山部４が瞬間的に拡張されながら組み立てられるように構成されている。
【００１２】
また、前記第１ネジ山５の下方には、第１ネジ山５よりさらに大きい規格の容器首に結合可能な第２ネジ山６を形成して、一つの受容装置１で複数の容器首に結合可能であるように構成されている。
【００１３】
そして、前記第２ネジ山６の下方には、また他の容器首に組み立て可能な組立部を設けることができ、この場合は、ワンタッチ方式で押し閉め、取り上げて開ける方式などの多様な設計変更が可能である。
【００１４】
ここでは説明はしていないが、図中の符号８は容器首の空間、９は密閉部、２８は突出部、５００はスカートを示している。
【００１５】
このような図１〜図３を使用する際は、一例として容器首２００に受容装置１を配置した後に受容装置１を結合すると、第１ネジ山５が容器首２００のネジ山２０１からの一時的な抵抗を受けながらネジ山部４が拡張され、上記の過程で受容装置１がさらに結合されると、下方に形成された第２ネジ山６が容器首２００のネジ山２０１に堅固に固定され、その状態が図１に示されている。
【００１６】
このような特徴により、ネジ山２０１の外径部分に第１ネジ山５が接触されて抵抗を受けても、これに拘らず第１ネジ山５を有するネジ山部４が拡張されながらその下方にある第２ネジ山６がネジ山２０１部分に結合可能であり、その理由は、前記第１ネジ山５を有するネジ山部４が拡張し得るようにその厚さが薄いためである。
【００１７】
よって、前記受容装置１は、合成樹脂材料のＰＰなどの硬質のものよりは、ＰＥなどの軟質樹脂を使用する方が好ましく、もしＰＰを使用する場合、軟質の方がよくて、さらにその厚さを著しく薄くする方がよい。
【００１８】
図２は、容器首３００が図１に示した容器首２００より小さい外径の形のものに受容装置１を適用したことを示しており、この際には第１ネジ山５がネジ山３０１に抵抗を受けることなく結合される。
【００１９】
図３は、ネジ山部４を詳しく示しており、特に、第１ネジ山５が第２ネジ山６に比べて厚さが比較的に薄いことがわかる。
【００２０】
本発明の他の実施形態では（図６）、本体１０の外部に補助台１２０を付設し、前記補助台１２０付の受容装置１を容器首２００に向かって組み立てると、本体１０の下側ネジ山部４−Ａの下端部が外側に広がり、その広がった一部は本体空間１１からなるところ、前記補助台１２０を中心に前記受容装置１を結合すると前記補助台１２０がその対応する本体に形成されたネジ山に沿って降り、上述の過程でネジ山部４の内側に形成されたネジ山や突起などが容器首２００のネジ山２０１に引っ掛かって密閉力を形成する。
【００２１】
そして前記図６は、受容装置１を容器首２００に配置した、結合する前の状態を示す図であり、図４は本体１０の一部に形成された接続部１５の状態を示す図であって、その特徴は、補助台１２０で本体１０のネジ山部４−Ａを内側に収縮させるようにすると、前記接続部１５が他の部位に対して比較的に薄くなり、ネジ山部４−Ａが補助台１２０により収縮されることが容易になるという特徴である。
【００２２】
また、図５に示すように下端方向が一定長さ広がって本体空間１１になるため、前記ネジ山部４−Ａが補助台１２０の下方により収縮されることが容易であるという特徴がある。
【００２３】
また他の実施形態は（図７）、参考図として、図に、本発明に適用される受容装置１は多様な受容部３を構成できることを示すために例示されており図７を参照すると、使用するときに折畳部１６の上端軟質部２０を圧迫するとドーム形の折畳部１６が下降し、その過程において受容部３の内部に入った内容物によりその下方の密閉部が破壊されつつ受容部３に入った異種物質が容器の内部へ落下混合される。
【００２４】
このような本発明に使用される受容装置１は、その他の多様な受容部３および開放する方法に設計変更が可能である。
【００２５】
そして図７に示すような、ドーム形の折畳部１６をシリコーンなどの軟質樹脂により成形（多色射出機を使って射出成形）して、折畳んだ後の復元力をよくすることができ、またはネジ山部４−Ｂにおいて、第１ネジ山５を構成している部位をシリコーンなどのゴムにより軟質成形部１７に構成できる。
【００２６】
このような構成の特徴は、第１ネジ山５が容器首２００のネジ山２０１のサイズに応じて弾性的に接触力および結合力を向上させることができることである。
【００２７】
本発明のまた他の実施形態では（図８参照）、本発明は多様な規格の容器に本発明の受容装置１が結合可能であるように設計されており、その特徴は、ネジ山部４−Ｃを一定角度にし、また前記ネジ山部４−Ｃは薄くしたということにある。
【００２８】
そして上述の発明の使用時には、容器首２００に組み立てられるはじめの状態を示す場合の図である図８のように、上述の状態から受容装置１をさらに回転させると、ネジ山２０１に接触しながら前記ネジ山２０１のサイズに応じて外側に伸縮性よく拡張されつつ組み立てられ、この際の伸縮性をよくするために一定部位にシリコーンなどのその他のゴム材質のもので二重射出する。
【００２９】
本発明のまた他の実施形態として（図９参照）、本実施形態は、図８と類似であるが、その特徴は、ネジ山部４−Ｄが一定厚さで構成され、前記ネジ山部４−Ｄの弾性（伸縮性）のために一定部位を切開しており、その部位が弾性部１２で処理されていることであり、その方法は、多色成形機での成形である。
【００３０】
前記の弾性部１２は、シリコーンなどの軟質合成ゴム材料を使用することが可能である。
【００３１】
本発明のまた他の実施形態では（図１０、図１１参照）、単一のネジ山部４−Ｅ，４−Ｆを通じて異なる規格の容器首に適用可能にするために、ネジ山部４−Ｅ，４−Ｆは伸縮性（弾力、弾性）よく作用しなければならず、上述の機能を発揮するような一例として、ネジ山部４−Ｅ、４−Ｆが容器首２００のネジ山２０１に位置されると、空間１３、１３−Ａによってネジ山部４−Ｅ、４−Ｆは、ネジ山２０１の外径に沿って外側に外れるか、または内側に押し付けられてネジ山２０１に堅固に密着されて作用する。
【００３２】
さらに説明すると、前記図１０、図１１は、受容装置１が容器首２００に組み立てられるはじめの状態を示す図であって、前記の状態から受容装置１を容器首２００に向かって回転させると、図１０の場合のように、ネジ山部４−Ｅが下方を中心にして上方が外側に広がるか内側に位置し、図１１のように、ネジ山部４−Ｆの上方を中心にして下方が内外側に弾性的に作用するのであり、これは切開された空間１３−Ａの位置によって違うように使用時に作用するのであって、つまり切開された空間１３の位置は上下または左右などのいずれの位置にも自由自在の角度で設定することができる。
【００３３】
本発明のまた他の実施形態は（図１２参照）、ネジ山部４−Ｇが、ネジ山がある部位を中心にして上下側が外側に広がった形状を取り、さらに弾性をよくするために上下のいずれか一つ以上の部位にシリコーンなどの軟質の樹脂が付加されて弾性部１２が形成されたものであり、前記弾性部１２に多色射出機を利用した好ましい例である（図１２は、受容装置１が容器首２００に最初に組み立てられる過程を示す図である。）。
【００３４】
本発明のまた他の実施形態として（図１３参照）、本発明の受容装置１が容器首２００に最初に組み立てられる一過程が図に例示されており、その特徴は、ネジ山部４−Ｈが内側に折畳式に形成されたものであって、前記折畳式のネジ山部４−Ｈは射出成形のときに下方に傾けられた後に、後工程などを通じて上方に角度を維持するように構成されることであり、前記折畳式のネジ山部４−Ｈは弾性を有する。
【００３５】
よって、前記ネジ山部４−Ｈは、容器首２００のネジ山２０１のサイズに応じて外側に広がるかまたは内側に弾性を持ったままネジ山２０１に沿って組み立てられ、前記折畳式のネジ山部４−Ｈは円形であってもよくまたは一定部位ごとに切開された独立のネジ山部４−Ｈを複数個以上形成するようにすることが可能であり、さらに前記ネジ山部４−Ｈが円形である場合、前記ネジ山部４−Ｈは、一定の傾斜（角度）を有してネジ山２０１に対応できなければならないことはもちろん、前記ネジ山部４を複数個にする場合、それぞれのネジ山部４のサイズ（長さ）を異ならせて、各ネジ山部４が容器首２００のネジ山２０１の角度によって前記サイズを異ならせたそれぞれのネジ山部４が結合されるようにすることができる。
【００３６】
本発明のまた他の実施形態として（図１４および図１５参照）、本発明のネジ山部（４−Ｉ、４−Ｊ）を、弾性の極大化のためによい弾性を有する材料で別途に製作し、これが受容装置１の内側や外側から組み立てられることが図示されており、図１４および図１５は、共に受容装置１が容器首２００に組み立てられようとする最初の状態を示す図であり、受容装置１を容器首２００に組み立てる場合、ネジ山部４−Ｉ、４−Ｊが容器首２００に形成されたネジ山２０１のサイズによって収縮されるか拡張されながら結合される。
【００３７】
本発明のまた他の実施形態では（図１６、図１７参照）、ネジ山部４−Ｋが下方を中心にして上方へ向かっており、前記一定角度を有するネジ山部４−Ｋの具現のために金型の製作を考慮して上方の開けた空間１３−Ｂを取っており、前記ネジ山部４−Ｋは、容器首２００に作動可能に２個以上形成することが好ましい。
【００３８】
そして図１６は、容器首２００に組み立てられる最初の状態であって、図１７は、組み立てられた状態を示す図であって、前記ネジ山部４−Ｋは、外側から内側の上端方向にネジ山部４−Ｋの端部が吊り上げられた状態であり、受容装置１を結合すると図１７のようにネジ山２０１のサイズによってネジ山部４−Ｋが収縮されるか拡張されながら結合される。
【００３９】
本発明のまた他の実施形態を示すものとして（図１８）、本発明において、受容装置１の外部へネジ山方式に締結された補助台１２０を回転方向に結合するとネジ山部４−Ｌが内側に一定に閉められるようにして、いずれの容器首であっても近似値に入った異なる規格の容器首のネジ山に適用可能であるように設計したことが図示されており、場合によってはネジ山部４−Ｌの一定部位は切開された形状そのままにしてもよい。
【００４０】
本発明のまた他の実施形態では（図１９参照）、本発明において、上述した各種ネジ山部を有する受容装置１に異種物質が入った貯蔵空間１３２を形成し得ることが図に例示されている（図１９は容器首２００に結合されようとする最初の状態を示しており、ネジ山部４−Ｍがネジ山２０１のサイズによって収縮されるか拡張される方式である。）。
【００４１】
このような使用は、シリコーンやその他の軟質の樹脂からなる弾性部１３０の外側に形成された蓋を除去して栓１３１のある所の端部を圧迫しながら前記弾性部１３０が下方に折り畳まれ、それと同時に栓１３１の下方に位置する長い形の延長された破壊用の突起が、貯蔵空間１３２の下端部を密閉している薄板形態の密閉部を破壊して、前記貯蔵空間１３２の異種物質を落下混合させるという特徴を有する。
【００４２】
本発明のまた他の実施形態では（図２０参照）、本発明のネジ山部４−Ｎは、第１ネジ山５に該当する部位を薄くして弾性を付加し、その下方である第２ネジ山６は折り畳まれた形にして、前記第１ネジ山５が作動して容器首２００に結合される過程において容器首２００に残っているボトル蓋のスカートなどの邪魔を受けることなく受容装置１が下向きになるように弾性のある第２ネジ山６を形成したことであって、前記第２ネジ山６は一部が切開された形に製作することが可能である。
【００４３】
参考として、ネジ山部４−Ｎは結合部と呼ぶことができ、本発明における意味は同じである。
【００４４】
上述の本発明において、基本技術をさらにまとめると、異なる規格の容器首に結合する用途で使用される受容装置は、受容装置の内部に液体や粉などの多様な異種物質が内部に入れられていて、前記受容装置を容器首に結合するかまたは前記異種物質受容装置を容器首に結合した後に受容装置の本体やその他の上方に形成された上キャップなどのその他の部位をタッチするか開放する過程において受容装置の内部に入った異種物質が容器内部に落下混合されるか、または受容装置の上方開放部により、受容装置の内部に受容部に入った香りや味のついた固体状の内容物が、容器内部に入った液体が前記受容装置を通じて放出される過程で受容部に入った内容物が溶けて放出されるなど、多様な種類の異種物質が入った装置を総称することである。
【００４５】
そして前記受容装置の下側には異なる規格の複数以上の容器首のネジ山に結合可能なネジ山部が形成されており、前記のネジ山部は、容器首のネジ山に適用されると容器首のネジ山が前記ネジ山部を外側に押しながら組み立てられることが可能であるように伸縮性のある材料で構成する。
【００４６】
また前記受容装置とは、異種物質が入っていることを基本に称しているが、技術的には一般的なプッシュ／プルキャップなどの多様な形態のボトル栓にも適用可能である。
【００４７】
そして本発明に使用される第１ネジ山や第２ネジ山などは、これを金属缶の容器に適用する場合、ネジ山の代わりに掛部のある突起などに設計変更して適用可能である。
【００４８】
また本発明の受容装置は、本体のいずれかの一部位を介して排出する手段が形成されるか、または本体の内部に異種物質が入った受容装置を金属缶などの容器に結合する結合手段が形成された受容装置にもその応用が可能であり、一例としては、前記受容装置の下端結合手段は、金属缶のエンド形状がそれぞれ異なるエンドに結合可能であるようにすることができる。
【００４９】
そして前記結合手段には、第１結合部と第２結合部などの異なる規格の複数の結合部を配置して、金属缶などの異なる規格のエンドに組み立てられるように構成してもよく、または前記結合手段はシリコーンなどの軟質樹脂で形成してもよい。
【００５０】
続いて（図２１参照）、前記受容装置１は、異なる規格の容器首２００に結合する用途で使用され、前記受容装置１を容器首２００に結合するために下側に結合部が形成されるものの、前記結合部としては、受容装置１に軟質の樹脂が一体に射出成形される方式でネジ山部４−Ｏが形成される。
【００５１】
そして前記結合部であるネジ山部４−Ｏは、シリコーンなどの軟質樹脂で形成され、好ましくは二重射出成形機で成形される方がよい。
【００５２】
また前記図２１の場合は、受容装置１が容器首２００に結合される過程を示しており、前記の状態から受容装置１をさらに結合すると、軟質のネジ山部４−Ｏが一時瞬間的に拡張されながら結合され、一定線上では受容装置１は止まることになり、その過程にネジ山部４−Ｏは拡張された状態から復元されて、ネジ山部４−Ｏが容器首２００にさらに密着される方式で結合される。
【００５３】
また、前記結合部であるネジ山部４−Ｐは、受容装置１にはめ合う方式で組み立てられる（図２２参照）。
【００５４】
そして前記はめ合う方式で組み立てられたネジ山部４−Ｐは、軟質の樹脂つまりシリコーンなどの樹脂であるのが好ましいが、その他の樹脂であってもよい。
【００５５】
また、前記図２２の場合は、受容装置１が容器首２００に結合される過程を示しており、前記のような状態から受容装置１をさらに結合すると、弾性的なネジ山部４−Ｐが一時拡張されながら結合される。
【００５６】
また他の実施形態として（図２３〜図２８）、異なる規格の容器首に結合する用途で使用される受容装置１は、受容装置１の内部に液体や粉などの多様な異種物質が内部に入れられており、前記の受容装置を容器首に結合するかまたは前記の異種物質受容装置を容器首に結合した後に受容装置の本体やその他の上方に形成された上キャップなどのその他の部位をタッチするか解放する過程で受容装置の内部に入った異種物質が容器内部に落下混合されるか、または受容装置上方開放部により、受容装置の内部の受容部に入った香りや味がついた固体状態の内容物が、容器内部に入った液体が前記受容装置を介して放出される過程で受容部に入った内容物が溶けて放出されるなどの多様な種類の異種物質が入った装置を基本前提とする。
【００５７】
そして前記異種物質が内部に入れられた受容装置１は、本体１０が容器首のネジ山に結合されるように構成し、前記本体１０の第１内側面部２０と第２内側面部２１が容器首のネジ山に結合されるようにされ、外側面部２２には、別の結合台４００を組み立て、前記結合台４００を中心にして蓋（受容装置１）を容器首に押すかまたは回転する方式で結合すると、１次的に内側面部（第１内側面部２０と第２内側面部２１）がある本体１０が容器首に位置し、前記の状態から結合台４００を回転させると、結合台４００が、本体１０の外側面部２２を内側に押しつつ本体１０の外側面部２２の内面である、ネジ山部４Ｑである内側面部（第１内側面部２０と第２内側面部２１）に形成された第１ネジ山５または第２ネジ山６を、容器首３００の容器首ネジ山３０１にさらに密着させて結合するように構成する。
【００５８】
また前記受容装置１の本体１０の外側面部２２には、結合台４００を結合し、結合された結合台４００は、分離されないように構成する。
【００５９】
そして、前記本体１０の外側面部２２には結合溝２３を設け、それに対応する結合台４００には、結合台固定部４０１を形成する。
【００６０】
また前記受容装置１の本体１０の外側面部２２には、本体用ストッパー２４を中心にして前後方に突出部２５とリターン防止部２６を形成し、前記本体１０の外側面部２２に対応する前記結合台４００の内側面部に、突出部作動用突起４０２と結合台用移動空間ストッパー４０３を形成する。
【００６１】
そして前記本体１０の外側面部２２を中心に結合された結合台４００を作動させると、結合台４００の内部に形成された突出部作動用突起４０２が、外側面部２２に結合された突出部２５を内側に押し、前記過程で、内側面部に形成された第１ネジ山５または第２ネジ山６が容器首３００の容器首ネジ山３０１にさらに密着して固定される。
【００６２】
また前記突出部作動用突起４０２が突出部２５を押し、その過程で結合台４００が前記外側面部２２上で一定以上回転しないように、外側面部２２とそれに対応する結合台４００には、本体用ストッパー２４および結合台用移動空間ストッパー４０３を形成する。
【００６３】
そして前記結合台４００を結合して逆方向に回転させると、前記結合台４００が外側面部２２上で回転して、同過程で結合台４００の結合台用移動空間ストッパー４０３が外側面部２２のいずれかの部位に引っ掛かって、結合台４００が、外側面部２２を有する本体１０とともに容器首から抜き出されるように構成する。
【００６４】
また前記結合台４００が外側面部２２を有する本体１０から逆回転すると、突出部作動用突起４０２が突出部２５を外すように構成する。
【００６５】
そして前記内側面部（第１内側面部２０と第２内側面部２１）を有する本体１０の外側面部２２には、結合台４００を回転方向に回転させる過程で外側面部２２が内側に押し出されることが可能であるように、一定サイズの空間を形成する。
【００６６】
また、前記内側面部に形成された第１ネジ山５と第２ネジ山６は、第１内側面部２０と第２内側面部２１にそれぞれ形成され、前記第２内側面部２１は第１内側面部２０の内径より大きく構成してもよく、または同じに構成してもよい。
【００６７】
そして、前記第１ネジ山５および第２ネジ山６は、断続的に組み込まれた突起片（図２６参照）にしてもよい。
【００６８】
また、前記第２ネジ山６を有する第２内側面部２１の高さは、２〜３ｍｍ以内であることがよく、または第２ネジ山６を有する第２内側面部２１の高さは、２〜４ｍｍ以内にしてもよい。
【００６９】
異なる場合として、前記第２ネジ山６を有する第２内側面部２１の高さは、２〜６ｍｍ以内にしてもよい。
【００７０】
続いて（図２７〜図２８参照）、前記異種物質が内部に入れられた受容装置は、本体１０の外側面部２２´の内側に結合台外側空間２９を形成し、前記の結合台外側空間２９には、はめ合う方式で内側結合用結合台６００が組み立てられ、前記内側結合用結合台６００にネジ山部４Ｒを形成し、前記内側結合用結合台６００には、外側向きに結合台突出部４０７とリターン防止部４０６を形成し、前記本体１０の外側面部２２´の内側には、内側結合用結合台６００の外側部に形成された結合台用ストッパー４０９の前後部に位置する本体作動用突起３０と結合台用ストッパー移動空間３１を形成したことである。
【００７１】
そして前記本体１０のネジ山部４Ｒは、第１ネジ山４０４と第２ネジ山４０５から構成される。
【００７２】
また、前記ネジ山部４Ｒは、断続的な突起や細密なネジ山で構成できるものである。
【産業上の利用可能性】
【００７３】
本発明の受容装置は、受容装置と容器とが結合されることなく受容装置が別に流通され、前記受容装置を消費者が購入して、前記受容装置を既保管中の容器に結合するか、または別の購入した容器からその容器に結合されたボトル蓋を除去して、前記受容装置を結合することにより使用する、異種物質が入った複数の結合部を有する受容装置であって、飲み水、一般飲料などの多様な分野に適用可能である。
【図１】
2014500202.tif 000003
【図２】
2014500202.tif 000004
【図３】
2014500202.tif 000005
【図４】
2014500202.tif 000006
【図５】
2014500202.tif 000007
【図６】
2014500202.tif 000008
【図７】
2014500202.tif 000009
【図８】
2014500202.tif 000010
【図９】
2014500202.tif 000011
【図１０】
2014500202.tif 000012
【図１１】
2014500202.tif 000013
【図１２】
2014500202.tif 000014
【図１３】
2014500202.tif 000015
【図１４】
2014500202.tif 000016
【図１５】
2014500202.tif 000017
【図１６】
2014500202.tif 000018
【図１７】
2014500202.tif 000019
【図１８】
2014500202.tif 000020
【図１９】
2014500202.tif 000021
【図２０】
2014500202.tif 000022
【図２１】
2014500202.tif 000023
【図２２】
2014500202.tif 000024
【図２３】
2014500202.tif 000025
【図２４】
2014500202.tif 000026
【図２５】
2014500202.tif 000027
【図２６】
2014500202.tif 000028
【図２７】
2014500202.tif 000029
【図２８】
2014500202.tif 000030
【国際調査報告】
2014500202.tif 000031
2014500202.tif 000032
2014500202.tif 000033
2014500202.tif 000034